(57)【要約】【課題】ミラーによるユーザの鏡像表示から当該ユーザの過去の画像表示に切り替えが可能であるとともに、ユーザの利便性に優れた処理を実現可能な情報処理システムを提供する。【解決手段】情報処理システムは、画像を表示するための画面をミラーとして機能させることが可能なミラーディスプレイ１００を備えている。情報処理システム１は、ミラーに映された個人を認証する。情報処理システムは、認証に成功し且つ予め定められた条件が成立するとミラーの機能を停止し、認証されたユーザの過去を記録した画像データのうち、認証時のユーザの態様と同じ態様の当該ユーザが記録された画像データに基づく画像をミラーディスプレイ１００の画面に表示させる。【選択図】図２
2016048430.tif 000002
【特許請求の範囲】
【請求項１】
画像を表示するための画面をミラーとして機能させることが可能なミラーディスプレイを備えた情報処理システムであって、
前記ミラーに映された個人を認証し、
前記認証に成功し且つ予め定められた条件が成立すると前記ミラーの機能を停止し、前記認証された個人の過去を記録した画像データのうち、前記認証時の個人の態様と同じ態様の当該個人が記録された第１の画像データに基づく第１の画像を前記画面に表示させる、情報処理システム。
【請求項２】
互いに異なる複数の前記第１の画像を前記画面に表示させる、請求項１に記載の情報処理システム。
【請求項３】
前記互いに異なる第１の画像を切り替えて個別に表示させる、請求項２に記載の情報処理システム。
【請求項４】
前記複数の第１の画像データの各々には、当該第１の画像データが生成された日時に関する日時情報が関連付けられており、前記日時情報に基づき前記日時の新しい順または古い順に前記第１の画像を前記画面に表示させる、請求項３に記載の情報処理システム。
【請求項５】
予め定められた時間における前記ミラーに映された個人の移動量が、閾値以下であるか否かを判定する判定手段と、
前記移動量が閾値以下であると判定された場合、前記予め定められた条件が成立したと判断して前記ミラーの機能を停止し、前記第１の画像を前記画面に表示させる表示制御手段とを備える、請求項４に記載の情報処理システム。
【請求項６】
前記ミラーに映されている個人を被写体として撮像する撮像手段をさらに備え、
前記表示制御手段は、前記第１の画像と、前記撮像手段による撮像により得られた、前記個人の現在を記録した第２の画像データに基づく第２の画像とを、前記画面に表示させる、請求項５に記載の情報処理システム。
【請求項７】
前記表示制御手段は、前記第１の画像と前記第２の画像とを前記画面に同時に表示させる、請求項６に記載の情報処理システム。
【請求項８】
前記表示制御手段は、前記画面のうちの前記ミラーによって前記個人が映されていた領域に、前記第１の画像を表示させる、請求項７に記載の情報処理システム。
【請求項９】
前記態様の変更を指示する入力を受け付ける受付手段をさらに備え、
前記表示制御手段は、前記受付手段が前記指示を受け付けたことに基づき、前記画面に表示させる画像を、前記第１の画像から、前記認証された個人の過去を記録した画像データのうちの前記指示に応じた態様の画像データに基づく第３の画像に変更する、請求項７または８に記載の情報処理システム。
【請求項１０】
タッチパネルをさらに備え、
前記変更の指示は、前記第１の画像の一部分または前記第２の画像の一部分を指定するための前記タッチパネルへのタッチ入力である、請求項９に記載の情報処理システム。
【請求項１１】
前記態様は、前記ミラーディスプレイに対する前記個人の体の向き、または前記個人が身に着けている物により規定される、請求項１から１０のいずれか１項に記載の情報処理システム。
【請求項１２】
前記情報処理システムは、
複数の前記第１の画像データを格納するとともに前記認証を行なうサーバ装置をさらに備え、
前記ミラーディスプレイは、
前記ミラーに映されている個人を撮像し、
前記撮像により得られた前記個人の画像データを前記サーバ装置に送信し、
前記サーバ装置から、前記認証された個人の前記第１の画像データを受信する、請求項５から９のいずれか１項に記載の情報処理システム。
【請求項１３】
前記ミラーディスプレイは、前記サーバ装置から、前記複数の第１の画像データを受信し、
前記複数の第１の画像データは、前記認証された個人の態様の一致度が互いに予め定められた基準以上離れているものである、請求項１２に記載の情報処理システム。
【請求項１４】
前記ミラーディスプレイは、前記サーバ装置から、前記複数の第１の画像データを受信し、
前記複数の第１の画像データは、生成された日にちが互いに予め定められた間隔あいているものである、請求項１２に記載の情報処理システム。
【請求項１５】
前記ミラーディスプレイは、前記ミラーに映された個人を撮像することにより、前記認証に用いる画像データを前記サーバ装置に送信する、請求項１２〜１４のいずれか１項に記載の情報処理システム。
【請求項１６】
前記ミラーディスプレイは、前記第２の画像データに対する前記第１の画像データの一致度に応じた情報を、サーバ装置から取得し、
前記表示制御手段は、前記一致度に応じた情報を前記第１の画像と同時に前記画面に表示させる、請求項６に記載の情報処理システム。
【請求項１７】
画像を表示するための画面をミラーとして機能させることが可能なミラーディスプレイであって、
前記ミラーに映された個人の認証に成功し且つ予め定められた条件が成立すると前記ミラーの機能を停止し、前記認証された個人の過去を記録した画像データのうち、前記認証時の個人の態様と同じ態様の当該個人が記録された画像データに基づく画像を前記画面に表示させる、ミラーディスプレイ。
【請求項１８】
画像を表示するための画面をミラーとして機能させることが可能なミラーディスプレイを備えた情報処理システムにおける情報処理方法であって、
前記ミラーに映された個人を認証するステップと、
前記認証に成功し且つ予め定められた条件が成立すると前記ミラーの機能を停止し、前記認証された個人の過去を記録した画像データのうち、前記認証時の個人の態様と同じ態様の当該個人が記録された画像データに基づく画像を前記画面に表示させるステップとを備える、情報処理方法。
【請求項１９】
画像を表示するための画面をミラーとして機能させることが可能なミラーディスプレイを制御するためのプログラムであって、
前記ミラーに映された個人の認証に成功し且つ予め定められた条件が成立すると前記ミラーの機能を停止し、前記認証された個人の過去を記録した画像データのうち、前記認証時の個人の態様と同じ態様の当該個人が記録された画像データに基づく画像を前記画面に表示させるステップを、前記ミラーディスプレイのプロセッサに実行させる、プログラム。
【発明の詳細な説明】
【技術分野】
【０００１】
本発明は、ミラーディスプレイを備えた情報処理システム、ミラーディスプレイ、情報処理方法、およびプログラムに関する。
【背景技術】
【０００２】
従来、非特許文献１に示すように、画像を表示するための画面をミラーとして機能させることが可能なミラーディスプレイが知られている。たとえば、特許文献１には、当該ミラーディスプレイを利用した画像表示装置が開示されている。特許文献１の画像表示装置は、当該画像表示装置に対面するユーザの現在の画像を表示する画像表示部と、少なくとも画像データにより得た過去の画像を含む情報を表示する情報表示部とを有し、現在の画像と過去の画像との双方が対象者の視覚に入るように構成されている。
【０００３】
詳しくは、特許文献１の画像表示装置は、当該画像表示装置にユーザが対面した後に撮像により得られた画像データと、複数の過去の画像データとの差分情報を分析結果として出力する。さらに、当該画像表示装置は、分析結果に基づき選択した１つの過去の画像を情報表示部に表示する。
【先行技術文献】
【特許文献】
【０００４】
【特許文献１】特開２００９−５３３２８号公報
【特許文献２】特開２０１２−１３０５２０号公報
【特許文献３】特開平９−８１６４６号公報
【非特許文献】
【０００５】
【非特許文献１】「CEATEC NEWS Vol.049 シャープ、未使用時には鏡として使える新開発の「ミラーディスプレイ」を出展！」、［online］、CEATEC JAPAN 2013、［平成26年7月23日検索］、インターネット ＜http://www.ceatec.com/news/ja-webmagazine/j049＞
【発明の概要】
【発明が解決しようとする課題】
【０００６】
特許文献１の画像表示装置では、ユーザの意思にかかわらず、上述した分析がなされる。それゆえ、ユーザが画像表示装置の前に移動する度に、過去の画像が表示される。このような構成では、ユーザは、時として不快に感じることもある。また、他人に過去の自分の画像を、第三者に容易に覗き見されてしまう可能性もある。
【０００７】
本願発明は、上記の問題点に鑑みなされた者であって、その目的は、ミラーによるユーザの鏡像表示から当該ユーザの過去の画像表示に切り替えが可能であるとともに、ユーザの利便性に優れた処理を実現可能な情報処理システム、当該ミラーディスプレイ、情報処理方法、およびプログラムを提供することにある。
【課題を解決するための手段】
【０００８】
本発明のある局面に従うと、情報処理システムは、画像を表示するための画面をミラーとして機能させることが可能なミラーディスプレイを備える。情報処理システムは、ミラーに映された個人を認証し、認証に成功し且つ予め定められた条件が成立するとミラーの機能を停止し、認証された個人の過去を記録した画像データのうち、認証時の個人の態様と同じ態様の当該個人が記録された第１の画像データに基づく第１の画像を画面に表示させる。
【０００９】
好ましくは、情報処理システムは、互いに異なる複数の第１の画像を画面に表示させる。
【００１０】
好ましくは、情報処理システムは、互いに異なる第１の画像を切り替えて個別に表示させる。
【００１１】
好ましくは、複数の第１の画像データの各々には、当該第１の画像データが生成された日時に関する日時情報が関連付けられている。情報処理システムは、日時情報に基づき日時の新しい順または古い順に第１の画像を画面に表示させる。
【００１２】
好ましくは、情報処理システムは、予め定められた時間におけるミラーに映された個人の移動量が、閾値以下であるか否かを判定する判定手段と、移動量が閾値以下であると判定された場合、予め定められた条件が成立したと判断してミラーの機能を停止し、第１の画像を画面に表示させる表示制御手段とを備える。
【００１３】
好ましくは、情報処理システムは、ミラーに映されている個人を被写体として撮像する撮像手段をさらに備える。表示制御手段は、第１の画像と、撮像手段による撮像により得られた、個人の現在を記録した第２の画像データに基づく第２の画像とを、画面に表示させる。
【００１４】
好ましくは、表示制御手段は、第１の画像と第２の画像とを画面に同時に表示させる。
好ましくは、表示制御手段は、画面のうちのミラーによって個人が映されていた領域に、第１の画像を表示させる。
【００１５】
好ましくは、情報処理システムは、態様の変更を指示する入力を受け付ける受付手段をさらに備える。表示制御手段は、受付手段が指示を受け付けたことに基づき、画面に表示させる画像を、第１の画像から、認証された個人の過去を記録した画像データのうち、指示に応じた態様の画像データに基づく第３の画像に変更する。
【００１６】
好ましくは、情報処理システムは、タッチパネルをさらに備える。変更の指示は、第１の画像の一部分または第２の画像の一部分を指定するためのタッチパネルへのタッチ入力である。
【００１７】
好ましくは、態様は、ミラーディスプレイに対する個人の体の向き、または個人が身に着けている物により規定される。
【００１８】
好ましくは、情報処理システムは、複数の第１の画像データを格納するとともに認証を行なうサーバ装置をさらに備える。ミラーディスプレイは、ミラーに映されている個人を撮像する。ミラーディスプレイは、撮像により得られた個人の画像データをサーバ装置に送信し、サーバ装置から、認証された個人の第１の画像データを受信する。
【００１９】
好ましくは、ミラーディスプレイは、サーバ装置から、複数の第１の画像データを受信する。複数の画像データは、認証された個人の態様の一致度が互いに予め定められた基準以上離れているものである。
【００２０】
好ましくは、ミラーディスプレイは、サーバ装置から、複数の第１の画像データを受信する。複数の第１の画像データは、生成された日にちが互いに予め定められた間隔あいているものである。
【００２１】
好ましくは、ミラーディスプレイは、ミラーに映された個人を撮像することにより、認証に用いる画像データをサーバ装置に送信する。
【００２２】
好ましくは、ミラーディスプレイは、第２の画像データに対する第１の画像データの一致度に応じた情報を、サーバ装置から取得する。表示制御手段は、一致度に応じた情報を第１の画像と同時に画面に表示させる。
【００２３】
本発明の他の局面に従うと、ミラーディスプレイは、画像を表示するための画面をミラーとして機能させることが可能である。ミラーディスプレイは、ミラーに映された個人の認証に成功し且つ予め定められた条件が成立するとミラーの機能を停止し、認証された個人の過去を記録した画像データのうち、認証時の個人の態様と同じ態様の当該個人が記録された画像データに基づく画像を画面に表示させる。
【００２４】
本発明のさらに他の局面に従うと、情報処理方法は、画像を表示するための画面をミラーとして機能させることが可能なミラーディスプレイを備えた情報処理システムにおいて実行される。情報処理方法は、ミラーに映された個人を認証するステップと、認証に成功し且つ予め定められた条件が成立するとミラーの機能を停止し、認証された個人の過去を記録した画像データのうち、認証時の個人の態様と同じ態様の当該個人が記録された画像データに基づく画像を画面に表示させるステップとを備える。
【００２５】
本発明のさらに他の局面に従うと、プログラムは、画像を表示するための画面をミラーとして機能させることが可能なミラーディスプレイを制御する。プログラムは、ミラーに映された個人の認証に成功し且つ予め定められた条件が成立するとミラーの機能を停止し、認証された個人の過去を記録した画像データのうち、認証時の個人の態様と同じ態様の当該個人が記録された画像データに基づく画像を画面に表示させるステップを、ミラーディスプレイのプロセッサに実行させる。
【発明の効果】
【００２６】
本発明によれば、ミラーによるユーザの鏡像表示から当該ユーザの過去の画像表示に切り替えが可能であるとともに、ユーザの利便性に優れた処理を実現できる。
【図面の簡単な説明】
【００２７】
【図１】実施の形態１に係る情報処理システム１の概略構成を説明するための図である。
【図２】情報処理システム１の第１の処理例を説明するための図である。
【図３】情報処理システム１の第２の処理例を説明するための図である。
【図４】サーバ装置２０に格納されているデータテーブルＤＴ４の概略を表した図である。
【図５】サーバ装置２０とミラーディスプレイ１００との機能的構成を説明するための機能ブロック図である。
【図６】情報処理システム１において実行される処理の流れを説明するためのシーケンスチャートである。
【図７】ミラーディスプレイ１００における処理の流れを説明するためのフローチャートである。
【図８】ミラーディスプレイ１００のハードウェア構成の典型例を表した図である。
【図９】サーバ装置２０のハードウェア構成の典型例を表した図である。
【図１０】情報処理システム１の変形例である情報処理システム１Ａの概略構成を表した図である。
【図１１】実施の形態２に係る情報処理システム１の処理例を説明するための図である。
【図１２】実施の形態３に係る情報処理システム１の第１の処理例を説明するための図である。
【図１３】実施の形態３に係る情報処理システム１の第２の処理例を説明するための図である。
【図１４】実施の形態６に係るミラーディスプレイ１００で表示される画像を説明するための図である。
【発明を実施するための形態】
【００２８】
以下、図面を参照しつつ、本発明の各実施の形態に係る情報処理システムについて説明する。また、以下の説明では、同一の部材には同一の参照符号を付してある。それらの名称および機能も同じである。したがって、それらについての詳細な説明は繰り返さない。
［実施の形態１］
＜Ａ．システム構成＞
図１は、本実施の形態に係る情報処理システム１の概略構成を説明するための図である。図１を参照して、情報処理システム１は、洗面台ユニット１０と、サーバ装置２０と、ルータ３０とを備える。洗面台ユニット１０は、ミラーディスプレイ１００を含む。ミラーディスプレイ１００は、カメラ１６１を有する。
【００２９】
ミラーディスプレイ１００は、ルータ３０およびネットワークを介してサーバ装置２０と通信可能に接続されている。ミラーディスプレイ１００は、画像を表示するための画面をミラーとして機能させることができる。詳しくは、ミラーディスプレイ１００は、鏡像表示（以下、「ミラー表示」とも称する）と、画像データに基づく画像の表示（以下、「ディスプレイ表示」とも称する）とを行なう。典型的には、ミラーディスプレイ１００は、鏡像表示と画像表示との切り替えを行なう。ミラーディスプレイ１００におけるディスプレイ表示の対象となる画像データとしては、たとえば、サーバ装置２０に記憶されている画像データ、ミラーディスプレイ１００に記憶されている画像データ、またはカメラ１６１で撮像された画像データ等が挙げられる。
【００３０】
サーバ装置２０は、個人認証を行なう機能を有する。また、サーバ装置２０は、複数人の各々について、複数の画像データを記憶している。サーバ装置２０は、典型的には、クラウドサービスを提供するためのサーバであって、複数のミラーディスプレイ１００に通信可能に接続される。なお、図１では、１つのミラーディスプレイ１００のみを記載している。
【００３１】
＜Ｂ．処理の概要＞
（ｂ１．第１の例）
図２は、情報処理システム１の第１の処理例を説明するための図である。図２を参照して、ミラーディスプレイ１００は、デフォルトではミラーとして機能しており、ミラーディスプレイ１００は、デフォルトでは人物等を鏡に映す。つまり、ミラーディスプレイ１００は、デフォルトでは人物等の鏡像を表示する。
【００３２】
このため、状態（Ａ）に示すとおり、洗面台ユニット１０のユーザがミラーディスプレイ１００の前に位置すると、ミラーディスプレイ１００はミラーの機能により当該ユーザの鏡像Ｍ１１を表示する。さらに、ミラーディスプレイ１００は、カメラ１６１によってミラーディスプレイ１００の前のユーザを撮像する。ミラーディスプレイ１００は、撮像により得られた画像データをサーバ装置２０に送信する。
【００３３】
サーバ装置２０は、画像データを受信すると個人認証（ユーザ認証）を行ない、ユーザを特定する。さらに、サーバ装置２０は、特定されたユーザの過去を記録した画像データのうち、当該個人認証時のユーザの態様と同じ態様の当該ユーザが記録された画像データを抽出する。なお、個人認証の方法は、特に限定されるものではない。たとえば、サーバ装置２０は、予め記憶させた画像から生成した個人の特徴量を用いて個人認証を行なえばよい。
【００３４】
「態様」とは、典型的には、ミラーディスプレイ１００に対するユーザの体の向き、またはユーザ人が身に着けている物により規定される。「体の向き」としては、たとえば、ユーザの正面の鏡像が表示される向き（正対状態となる向き）、ユーザの側面の鏡像が表示される向きが挙げられる。また、「身に着けている物」としては、たとえば、服、メガネ、アクセサリが挙げられる。
【００３５】
以下では、「態様」として、ミラーディスプレイ１００に対するユーザの体の向きを優先する構成について説明する。詳しくは、サーバ装置２０は、特定されたユーザの過去を記録した画像データのうち、当該個人認証時のユーザの体の向きと同じ体の向きのユーザが記録された画像データを抽出する構成を例に挙げて説明する。
【００３６】
状態（Ａ）では、ユーザは、ミラーディスプレイ１００に正対している。つまり、ユーザは、ミラーディスプレイ１００に関し、正面を向いている。それゆえ、サーバ装置２０は、特定されたユーザの過去を記録した複数の画像データ（以下、「過去画像データ」とも称する）から、ユーザの体の向きが正面を向いている画像データを抽出する。一例として、サーバ装置２０は、予め定められた枚数の画像データを抽出する。
【００３７】
典型的には、サーバ装置２０は、個人認証が終わった後、撮像により得られた画像データ（「現在画像データ」とも称する）に対する過去画像データの一致度を算出する。サーバ装置２０は、複数の過去画像データの中から、一致度が互いに閾値以上離れている画像データを抽出する。たとえば、現在画像データに対する複数の過去画像データのそれぞれの一致度が、９５％、９０％、８５％、８０％、７５％、７０％であって、閾値が１０％に設定されている場合、サーバ装置２０は、以下の処理を行なう。すなわち、サーバ装置２０は、複数の過去画像データから、一致度が、９０％の画像データ（以下、「画像データＤ１１」とも称する）と、８０％の画像データ（以下、「画像データＤ１２」とも称する）と、７０％の画像データ（以下、「画像データＤ１３」とも称する）との３つの画像データを抽出する。
【００３８】
その後、サーバ装置２０は、抽出された画像データＤ１１，Ｄ１２、Ｄ１３をミラーディスプレイ１００に送信する。なお、抽出された画像データには、当該画像データＤ１１，Ｄ１２、Ｄ１３が生成された日時（たとえば、撮像日時）が対応付けて記憶されている。
【００３９】
ミラーディスプレイ１００は、予め定められた条件が成立するとミラーの機能を停止し、上記抽出された画像データに基づく画像を画面に表示させる。「予め定められた条件が成立」とは、典型的には、予め定められた時間Ｔ１（たとえば、５秒）におけるミラーに映されたユーザの移動量（体の動きの量）が、閾値以下であると判定されたことである。当該判定は、典型的には、ユーザを連続的に撮像することにより得られた画像データに基づき行われる。
【００４０】
ミラーディスプレイ１００は、状態（Ａ）の後、状態（Ｂ）に遷移する。状態（Ｂ）では、ミラーディスプレイ１００は、抽出された画像データＤ１１，Ｄ１２、Ｄ１３のうち生成日時が最も新しい画像データＤ１１に基づく画像Ｐ１１を画面に表示する。つまり、ミラーディスプレイ１００は、２０１４年５月１日に生成（撮像）された一致度が９０％の画像データＤ１１に基づく画像を画面に表示する。
【００４１】
ミラーディスプレイ１００は、状態（Ｂ）が一定時間Ｔ２（たとえば、５秒間）継続した後、状態（Ｃ）に遷移する。状態（Ｃ）では、ミラーディスプレイ１００は、抽出された画像データのうち生成日時が次に新しい画像データＤ１２に基づく画像Ｐ１２を画面に表示する。具体的には、ミラーディスプレイ１００は、２０１４年３月１５日に生成（撮像）された一致度が８０％の画像データに基づく画像を画面に表示する。
【００４２】
ミラーディスプレイ１００は、状態（Ｃ）が一定時間Ｔ２だけ継続した後、状態（Ｄ）に遷移する。状態（Ｄ）では、ミラーディスプレイ１００は、抽出された画像データのうち生成日時が画像データＤ１２の次に新しい画像データＤ１３に基づく画像Ｐ１３を画面に表示する。具体的には、ミラーディスプレイ１００は、２０１４年１月２１日に生成（撮像）された一致度が７０％の画像データ基づく画像Ｐ１３を画面に表示する。
【００４３】
ミラーディスプレイ１００は、状態（Ｄ）が一定時間Ｔ２だけ継続した後、状態（Ｅ）に遷移する。状態（Ｅ）では、ミラーディスプレイ１００は、現在画像データに基づく画像Ｐ１４を画面に表示する。その後、ミラーディスプレイ１００は、状態（Ｂ）に遷移し、その後、上述した画面遷移を繰り返す。
【００４４】
以上のように、ミラーディスプレイ１００は、少なくとも、ミラーに映されたユーザの過去画像データのうちから抽出された画像データＤ１１，Ｄ１２，Ｄ１３に基づく画像Ｐ１１，Ｐ１２，Ｐ１３を、時系列に沿って新しいものから古いものへと順に切り替えて表示する。それゆえ、ユーザは、自身の状態（体型等）の変化の様子を把握できる。特に、ミラーディスプレイ１００は、現在と同じ体の向きの画像を時系列に沿って表示するため、自身の体型等の変化の様子をより的確に把握できる。一例として、ユーザは、ダイエットの効果、育毛の効果を確認することができる。
【００４５】
また、予め定められた条件が成立しないと、抽出された画像データＤ１１，Ｄ１２，Ｄ１３に基づく画像Ｐ１１，Ｐ１２，Ｐ１３は表示されることがない。それゆえ、ユーザがミラーディスプレイ１００の前に移動する度に、抽出された画像データに基づく画像が表示されることはない。つまり、予め定められた条件をユーザが意図的に成立させなければ、抽出された画像データに基づく画像が画面に表示されることはない。したがって、情報処理システム１は、ユーザがミラーディスプレイ１００の前に移動する度に抽出された画像が表示される構成に比べて、ユーザの利便性に優れる。
【００４６】
なお、ディスプレイの所定の領域（たとえば、図示しないオブジェクトが表示された領域）をユーザがタッチすることにより、ミラーディスプレイ１００は、画像Ｐ１１，Ｐ１２、Ｐ１３，Ｐ１４の繰り返しを停止する。あるいは、画像データに基づく表示を停止し、ミラーの機能によりユーザの鏡像（図２（Ａ）の鏡像Ｍ１１参照）を再度表示するように、ミラーディスプレイ１００を構成してもよい。
【００４７】
（ｂ２．第２の例）
図３は、情報処理システム１の第２の処理例を説明するための図である。図３を参照して、状態（Ａ）に示すとおり、洗面台ユニット１０のユーザがミラーディスプレイ１００の前に位置すると、ミラーディスプレイ１００はミラーの機能により当該ユーザの鏡像Ｍ２１を表示する。さらに、ミラーディスプレイ１００は、カメラ１６１によってユーザを撮像する。ミラーディスプレイ１００は、撮像により得られた画像データをサーバ装置２０に送信する。
【００４８】
サーバ装置２０は、画像データを受信すると個人認証（ユーザ認証）を行ない、ユーザを特定する。さらに、サーバ装置２０は、特定されたユーザの過去を記録した画像データのうち、当該個人認証時のユーザの態様と同じ態様の当該ユーザが記録された画像データを抽出する。
【００４９】
状態（Ａ）では、ユーザは、ミラーディスプレイ１００に、自身の側面を向けている。つまり、ユーザは、ミラーディスプレイ１００に関し、横向きの体勢をとっている。それゆえ、サーバ装置２０は、特定されたユーザの過去を記録した複数の画像データ（過去画像データ）から、ユーザの体が横を向いている画像データを抽出する。
【００５０】
より詳しくは、ユーザの顔は、右に回転している。それゆえ、サーバ装置２０は、特定されたユーザの過去を記録した複数の画像データ（過去画像データ）から、ユーザの体が横を向いており、かつ顔が右に回転している画像データを抽出する。なお、上記の抽出処理は、上述した一致度および閾値を用いて行われるため、ここでは繰り返し説明しない。
【００５１】
ミラーディスプレイ１００は、第１の処理例と同様、予め定められた条件が成立するとミラーの機能を停止し、上記抽出された画像を画面に表示させる。
【００５２】
ミラーディスプレイ１００は、状態（Ａ）の後、状態（Ｂ）に遷移する。状態（Ｂ）では、ミラーディスプレイ１００は、抽出された画像データのうち生成日時が最も新しい画像データ（以下、「画像データＤ２１」とも称する）に基づく画像Ｐ２１を画面に表示する。具体的には、ミラーディスプレイ１００は、２０１４年４月２８日に撮像された画像を画面に表示する。
【００５３】
ミラーディスプレイ１００は、状態（Ｂ）が一定時間Ｔ２だけ継続した後、状態（Ｃ）に遷移する。状態（Ｃ）では、ミラーディスプレイ１００は、抽出された画像データのうち生成日時が次に新しい画像データ（以下、「画像データＤ２２」とも称する）に基づく画像Ｐ２２を画面に表示する。具体的には、ミラーディスプレイ１００は、２０１４年２月１３日に撮像された画像を画面に表示する。
【００５４】
ミラーディスプレイ１００は、状態（Ｃ）が一定時間Ｔ２だけ継続した後、状態（Ｄ）に遷移する。状態（Ｄ）では、ミラーディスプレイ１００は、抽出された画像のうち生成日時が画像データＤ２２の次に新しい画像データ（以下、「画像データＤ２３」とも称する）に基づく画像Ｐ２３を画面に表示する。たとえば、ミラーディスプレイ１００は、２０１３年１２月２６日に撮像された画像を画面に表示する。
【００５５】
ミラーディスプレイ１００は、状態（Ｄ）が一定時間Ｔ２だけ継続した後、状態（Ｅ）に遷移する。状態（Ｅ）では、ミラーディスプレイ１００は、現在画像データに基づく画像Ｐ２４を画面に表示する。その後、ミラーディスプレイ１００は、状態（Ｂ）に遷移し、その後、上述した画面遷移を繰り返す。
【００５６】
以上のように、ミラーディスプレイ１００は、少なくとも、ミラーに映されたユーザの過去画像データのうちから抽出された画像データＤ２１，Ｄ２２，Ｄ２３に基づく画像Ｐ２１，Ｐ２２，Ｐ２３を、時系列に沿って新しいものから古いものへと順に切り替えて表示する。それゆえ、ユーザは、自身の状態（体型等）の変化の様子を把握できる。
【００５７】
また、予め定められた条件が成立しないと、抽出された画像データＤ２１，Ｄ２２，Ｄ２３に基づく画像Ｐ２１，Ｐ２２，Ｐ２３は表示されることがない。それゆえ、上述したとおり、情報処理システム１は、ユーザがミラーディスプレイ１００の前に移動する度に抽出された画像データに基づく画像が表示される構成に比べて、ユーザの利便性に優れる。
【００５８】
なお、上記の第１の処理例および第２の処理例においては、予め定められた時間Ｔ１におけるミラーに映されたユーザの移動量が閾値以下であると判定された場合に、予め定められた条件が成立したとミラーディスプレイ１００が判断する構成を例に挙げて説明したが、これに限定されるものではない。たとえば、所定のボタンがユーザによって押下された場合に予め定められた条件が成立したと判断するように、ミラーディスプレイ１００を構成してもよい。あるいは、個人認証が行われた後、所定のポーズをユーザがとった場合に予め定められた条件が成立したと判断するように、ミラーディスプレイ１００を構成してもよい。
【００５９】
（ｂ３．処理の概要のまとめ）
（１）以上のように、情報処理システム１は、画像を表示するための画面をミラーとして機能させることが可能なミラーディスプレイ１００を備えている。情報処理システム１は、ミラーに映された個人を認証する。情報処理システム１は、認証に成功し且つ予め定められた条件が成立するとミラーの機能を停止し、認証されたユーザ（個人）の過去を記録した画像データ（過去画像データ）のうち、認証時のユーザの態様と同じ態様の当該ユーザが記録された画像データ（上述した抽出された画像データ）に基づく画像を上記画面に表示させる。
【００６０】
それゆえ、情報処理システム１によれば、ミラーディスプレイ１００は、ミラーに映されたユーザの過去画像データ（正確には、過去画像データから抽出された画像データ）に基づく画像を表示する。特に、ミラーディスプレイ１００は、現在と同じ態様（たとえば、同じ体の向き）の過去画像を表示するため、自身の状態（体型等）の変化の様子をより的確に把握できる。また、ユーザがミラーディスプレイ１００の前に移動する度に抽出された画像が表示される構成に比べて、ユーザの利便性を向上させることができる。
【００６１】
（２）情報処理システム１は、互いに異なる過去画像データ（正確には、過去画像データから抽出された画像データ）に基づく画像をミラーディスプレイ１００の画面に表示させる。典型的には、画面に表示させる画像の数の上限値は、予め定められている。たとえば、図２，３の場合には、情報処理システム１は、抽出された３つの画像を表示する。それゆえ、ユーザは、自身の過去の状態を複数確認することができる。
【００６２】
（３）情報処理システム１は、抽出された画像データに基づく画像を切り替えて画面に個別に表示させる。それゆえ、ユーザは、自身の体型を画面毎に確認することができる。
【００６３】
（４）上記抽出された画像データの各々には、当該画像が生成された日時に関する日時情報が関連付けられている。情報処理システム１は、上記日時情報に基づき日時の新しい順に、上記抽出された画像データに基づく画像を画面に表示させる。したがって、ユーザは、時系列に沿った形で、自身の状態の変化を確認することができる。
【００６４】
なお、上記日時情報に基づき日時の古い順に、上記抽出された画像データに基づく画像を画面に表示させるように、情報処理システム１を構成してもよい。
【００６５】
また、一致度の順に、上記抽出された画像データに基づく画像を画面に表示させるように、情報処理システム１を構成してもよい。つまり、必ずしも、日時の順に表示させる構成でなくてもよい。どのような順で表示させるのかをユーザが指定可能なように、情報処理システム１を構成することが好ましい。
【００６６】
（５）ミラーディスプレイ１００は、予め定められた時間Ｔ１における前記ミラーに映された個人の移動量が、閾値以下であるか否かを判定する。ミラーディスプレイ１００は、上記移動量が閾値以下であると判定された場合、上記予め定められた条件が成立したと判断してミラーの機能を停止し、上記抽出された画像データに基づく画像を画面に表示させる。それゆえ、ユーザは、時間Ｔ１だけ静止状態を保つことによって、自身の過去の状態を確認することが可能となる。
【００６７】
（６）ミラーディスプレイ１００は、ミラーに映されている個人を被写体として撮像する。ミラーディスプレイ１００は、過去画像データ（正確には、過去画像データから抽出された画像データ）と、撮像手段による撮像により得られたユーザの現在画像とを、画面に表示させる。それゆえ、ユーザは、現在の状態と過去の状態とを比較することが可能となる。
【００６８】
（７）ミラーディスプレイ１００は、サーバ装置２０から、複数の画像データを受信する。当該複数の画像データは、認証されたユーザの態様の一致度が互いに予め定められた基準（閾値）以上離れているものである。当該構成によれば、ユーザは、自身の変化を容易に感じることが可能となる。
【００６９】
＜Ｃ．データ＞
図４は、サーバ装置２０に格納されているデータテーブルＤＴ４の概略を表した図である。図４を参照して、データテーブルＤＴ４は、個人ＩＤ、画像ＩＤ、撮像日時（生成日時）、第１の特徴、第２の特徴、第３の特徴、第４の特徴等を書き込むデータ領域を含んで構成されている。第１の特徴は、体の向きを表している。第２の特徴は、顔の向きを表している。第３の特徴は、服の色を表している。第４の特徴は、身に着けているアクセサリを表している。
【００７０】
ユーザが、ミラーディスプレイ１００の前に立つと、上述したように当該ユーザを被写体とした撮像が行われる。ミラーディスプレイ１００は、撮像により得られた画像データを撮像日時の情報と関連付けた状態でサーバ装置２０に送信する。サーバ装置２０は、ミラーディスプレイ１００から画像データを受け取ると、当該画像データに関する、個人ＩＤ、画像ＩＤ、撮像日時、第１の特徴、および第２の特徴等の書込みをデータテーブルＤＴ４に対して行なう。
【００７１】
画像ＩＤは、サーバ装置２０が受信した画像データを特定するための識別情報である。当該画像ＩＤは、サーバ装置２０によって付与される。個人ＩＤの欄には、撮像により得られた画像データを用いて個人認証することにより決定した識別情報が書き込まれる。撮像日時の欄には、サーバ装置２０が受信した画像データに関連付けられていた情報が書き込まれる。
【００７２】
サーバ装置２０は、受信した画像データを解析して、人物の体の向きと、人物の顔の向きと、人物が着ている服の色と、当該服の種類と、人物が身に着けているアクセサリの種類等を判断する。サーバ装置２０は、当該解析結果をデータテーブルＤＴ４の対応する欄に書き込む。
【００７３】
以上の処理によって、サーバ装置２０は、逐次、データテーブルＤＴ４を更新する。サーバ装置２０は、データテーブルＤＴ４を参照して、認証されたユーザの過去画像データから、ミラーディスプレイ１００に送信する候補となる画像データを特定する。より具体的には、サーバ装置２０は、第１の特徴および第２の特徴を他の特徴より優先して利用することにより、認証されたユーザの過去画像データからミラーディスプレイ１００に送信する候補となる画像データを特定する。
【００７４】
さらに、サーバ装置２０は、候補として特定した画像データについて、上述したように一致度を判断し、当該候補として特定した画像データの中からミラーディスプレイ１００に送信する画像データを抽出する。サーバ装置２０は、抽出した画像データをミラーディスプレイ１００に送信することによって、ミラーディスプレイ１００は図２，３、に示したような態様が同じである複数の画像の表示が可能となる。
【００７５】
なお、上記第３の特徴および第４の特徴の利用方法については後述する。また、上記においては、第１〜第４の特徴を例に挙げているが、これに限定されるものではない。データテーブルＤＴ４には、さらになる特徴（第５の特徴等）が記憶されていてもよい。また、服、アクセサリといった分類をさらに細分化してもよい。たとえば、服の種別、上着の種別、メガネの種別、ネックレスの種別等に細分化してもよい。
【００７６】
＜Ｄ．機能的構成＞
図５は、サーバ装置２０とミラーディスプレイ１００との機能的構成を説明するための機能ブロック図である。図５を参照して、サーバ装置２０は、通信処理部２１と、制御部２２と、記憶部２３とを備える。制御部２２は、認証部２２１と、抽出部２２２とを有する。ミラーディスプレイ１００は、表示部１１１と、撮像部１１２と、入力受付部１１３と、制御部１１４と、記憶部１１５と、通信処理部１１６とを備える。制御部１１４は、判定部１１４１と、表示制御部１１４２とを有する。
【００７７】
まず、ミラーディスプレイ１００の各機能ブロックについて説明する。表示部１１１は、表示制御部１１４２の指示に基づき、画像を表示する。表示部１１１は、後述するディスプレイ１５９１（図８）に対応する。撮像部１１２は、ミラーディスプレイ１００の前の人物等の被写体を撮像する。撮像部１１２は、撮像により得られた画像データを制御部１１４に送る。撮像部１１２は、後述するカメラ１６１（図８）に対応する。入力受付部１１３は、ユーザからの入力を受け付ける。入力受付部１１３は、受け付けた入力に基づく指示を制御部１１４に送る。入力受付部１１３は、後述するタッチパネル１５９２（図８）に対応する。
【００７８】
制御部１１４は、ミラーディスプレイ１００の全体の動作を制御する。具体的には、制御部１１４は、ＯＳ（Operating System）およびアプリケーションプログラムを実行することにより、各種の処理を実行する。判定部１１４１は、予め定められた条件が成立したか否かを判定する。具体的には、判定部１１４１は、予め定められた時間Ｔ１におけるミラーに映されたユーザの移動量が閾値以下であるか否かを判定する。表示制御部１１４２は、各種の画像を表示部１１１に表示させる。表示制御部１１４２は、デフォルトではディスプレイの機能を停止することにより、ミラーによる鏡像表示を行なう。
【００７９】
記憶部１１５は、ミラーディスプレイ１００用のＯＳおよび各種のアプリケーションプログラムが予め格納されている。また、記憶部１１５には、撮像部１１２での撮像により得られた画像データ、サーバ装置２０から受信した画像データ等の各種の画像データが格納される。
【００８０】
通信処理部１１６は、サーバ装置２０とデータ通信を行なうためのインターフェイスである。具体的には、通信処理部１１６は、画像データの送受信を行なう。
【００８１】
撮像部１１２による撮像によって得られた画像データは、制御部１１４によって、通信処理部１１６からサーバ装置２０へ送信される。
【００８２】
サーバ装置２０の通信処理部２１は、ミラーディスプレイ１００とデータ通信を行なうためのインターフェイスである。具体的には、通信処理部２１は、画像データの送受信を行なう。通信処理部２１は、ミラーディスプレイ１００において撮像が行われると、ミラーディスプレイ１００から画像データを受信する。
【００８３】
制御部２２は、サーバ装置２０の全体の動作を制御する。具体的には、制御部２２は、ＯＳおよびアプリケーションプログラムを実行することにより、各種の処理を実行する。認証部２２１は、ミラーディスプレイ１００から受信した画像データを用いて個人認証を行なう。抽出部２２２は、認証された個人の複数の過去画像データのうちから、認証時の個人の態様と同じ態様の当該個人が記録された画像データを抽出する。その際、抽出部２２２は、上述した一致度を用いることにより、予め定められた数の画像データを抽出する。
【００８４】
記憶部２３は、サーバ装置２０用のＯＳおよび各種のアプリケーションプログラムが予め格納されている。また、記憶部２３には、ミラーディスプレイ１００から受信した複数人の画像データが格納されている。さらに、記憶部２３には、個人認証に用いる、特徴量を表した認証用データが格納されている。なお、ミラーディスプレイ１００から画像データを受信したことに基づき、当該画像データを用いて認証用データを適宜更新するように、サーバ装置２０を構成してもよい。
【００８５】
制御部２２は、抽出された画像データを通信処理部２１を介して、ミラーディスプレイ１００に送信する。この場合、ミラーディスプレイ１００の表示制御部１１４２は、ミラーの機能を停止させ、当該抽出された画像を表示部１１１に表示させる。たとえば、表示制御部１１４２は、図２、図３等に示す画像を表示部１１１に表示させる。
【００８６】
＜Ｅ．制御構造＞
図６は、情報処理システム１において実行される処理の流れを説明するためのシーケンスチャートである。図６を参照して、シーケンスＳＱ２において、ミラーディスプレイ１００は、ミラーの機能によるミラー表示（鏡像表示）を行なう。ユーザがミラーディスプレイの前に来ると、シーケンスＳＱ４において、ミラーディスプレイ１００は、ユーザの撮像を行なう。シーケンスＳＱ６において、ミラーディスプレイ１００は、当該撮像により得られた画像データをサーバ装置２０に送信する。
【００８７】
シーケンスＳＱ８において、サーバ装置２０は、ミラーディスプレイ１００から受信した画像データを用いて個人認証を行なう。シーケンスＳＱ１０において、サーバ装置２０は、過去画像データから画像データの抽出を行なう。当該抽出の具体的方法については、上述したため、ここでは説明を繰り返さない。
【００８８】
シーケンスＳＱ１２において、サーバ装置２０は、抽出された画像データをミラーディスプレイ１００に送信する。シーケンスＳＱ１４において、ミラーディスプレイ１００は、予め定められた条件が成立したことに基づき、ミラー表示からディスプレイ表示に切り替えて、サーバ装置２０から受信した画像データに基づく画像を予め定められた規則に基づき表示する。たとえば、図２、図３に示したように、サーバ装置２０は、サーバ装置２０から受信した画像データを、生成日時が新たし順に時系列に沿って切り替えて表示する。
【００８９】
図７は、ミラーディスプレイ１００における処理の流れを説明するためのフローチャートである。図７を参照して、ステップＳ２において、ミラーディスプレイ１００は、ミラーの機能によるミラー表示（鏡像表示）を行なう。ステップＳ４において、ミラーディスプレイ１００は、人物がミラーディスプレイ１００に接近したか否かを判断する。なお、当該判断は、図示しない近接センサ等からの出力に基づき行われる。
【００９０】
ミラーディスプレイ１００は、人物の接近を検知した場合（ステップＳ４においてＹＥＳ）、ステップＳ６において、連続撮像を開始する。なお、ミラーディスプレイ１００は、人物の接近を検知しなかった場合（ステップＳ４においてＮＯ）、処理をステップＳ２に戻す。つまり、ミラーディスプレイ１００は、ミラー表示と人物の検知とを繰り返す。
【００９１】
ステップＳ８において、ミラーディスプレイ１００は、撮像により得られた画像データであって、認証に用いる画像データを少なくとも１つサーバ装置２０に送信する。典型的には、ミラーディスプレイ１００は、上記連続撮影における最初の撮像により得られた画像データをサーバ装置２０に送信する。
【００９２】
ステップＳ１０において、ミラーディスプレイ１００は、予め定められた時間Ｔ１、当該人物が静止しているか否かを判断する。ミラーディスプレイ１００は、静止していると判断された場合（ステップＳ１０においてＹＥＳ）、ステップＳ１２において、撮像を停止する。ミラーディスプレイ１００は、静止していないと判断された場合（ステップＳ１０においてＮＯ）、処理をステップＳ６に戻す。なお、ミラーディスプレイ１００は、人物が時間Ｔ１だけ静止しているか否を連続撮影により得られた複数の画像データに基づき判断する。
【００９３】
ステップＳ１４において、ミラーディスプレイ１００は、サーバ装置２０から画像データ（詳しくは、サーバ装置２０において抽出された画像データ）を受信したか否かを判断する。ミラーディスプレイ１００は、画像データを受信したと判断された場合（ステップＳ１４においてＹＥＳ）、ステップＳ１６において、上述した予め定められた記憶に基づき、受信した画像データに基づく画像を画面に表示させる。ミラーディスプレイ１００は、画像データを受信していないと判断された場合（ステップＳ１４においてＮＯ）、一連の処理を終了する。具体的には、ミラーディスプレイ１００は、ミラー表示を継続する。
【００９４】
＜Ｆ．ハードウェア構成＞
図８は、ミラーディスプレイ１００のハードウェア構成の典型例を表した図である。図８を参照して、ミラーディスプレイ１００は、主たる構成要素として、プログラムを実行するＣＰＵ１５１と、データを不揮発的に格納するＲＯＭ１５２と、ＣＰＵ１５１によるプログラムの実行により生成されたデータ、又は入力装置を介して入力されたデータを揮発的に格納するＲＡＭ１５３と、データを不揮発的に格納するＨＤＤ１５４と、ＬＥＤ１５５と、スイッチ１５６と、通信ＩＦ（Interface）１５７と、電源回路１５８と、タッチスクリーン１５９と、操作キー１６０と、カメラ１６１とを含む。各構成要素は、相互にデータバスによって接続されている。タッチスクリーンは、ディスプレイ１５９１と、タッチパネル１５９２により構成される。
【００９５】
電源回路１５８は、コンセントを介して受信した商用電源の電圧を降圧し、ミラーディスプレイ１００の各部に電源供給を行なう回路である。スイッチ１５６は、電源回路１５８に給電を行なうか否かを切替えるための主電源用のスイッチ、およびその他の各種の押しボタンスイッチである。
【００９６】
タッチスクリーン１５９は、各種のデータを表示および入力を受け付けるためのデバイスである。ディスプレイ１５９１は、画像を表示するための画面を含んで構成されている。
【００９７】
通信ＩＦ１５７は、サーバ装置２０に対するデータの送信処理およびサーバ装置２０から送信されたデータの受信処理を行なう。ＬＥＤ１５５は、ミラーディスプレイ１００の動作状態を表す各種の表示ランプである。たとえば、ＬＥＤ１５５は、ミラーディスプレイ１００の主電源のオンまたはオフ状態、およびＨＤＤ１５４への読み出しまたは書き込み状態等を表す。操作キー１６０は、ミラーディスプレイ１００のユーザが主電源のオンまたはオフ等するためのキー（操作ボタン）である。カメラ１６１は、上述したように、ミラーディスプレイ１００の前にいる人物等の被写体を撮像するための撮像装置である。
【００９８】
ミラーディスプレイ１００における処理は、各ハードウェアおよびＣＰＵ１５１により実行されるソフトウェアによって実現される。このようなソフトウェアは、ＨＤＤ１５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１５７等を介してダウンロードされた後、ＨＤＤ１５４に一旦格納される。そのソフトウェアは、ＣＰＵ１５１によってＨＤＤ１５４から読み出され、ＲＡＭ１５３に実行可能なプログラムの形式で格納される。ＣＰＵ１５１は、そのプログラムを実行する。
【００９９】
同図に示されるミラーディスプレイ１００を構成する各構成要素は、一般的なものである。したがって、本発明の本質的な部分は、ＲＡＭ１５３、ＨＤＤ１５４、記憶媒体に格納されたソフトウェア、あるいはネットワークを介してダウンロード可能なソフトウェアであるともいえる。なお、ミラーディスプレイ１００の各ハードウェアの動作は周知であるので、詳細な説明は繰り返さない。
【０１００】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【０１０１】
図９は、サーバ装置２０のハードウェア構成の典型例を表した図である。図９を参照して、サーバ装置２０は、主たる構成要素として、プログラムを実行するＣＰＵ２５１と、データを不揮発的に格納するＲＯＭ２５２と、ＣＰＵ２５１によるプログラムの実行により生成されたデータ、又は入力装置を介して入力されたデータを揮発的に格納するＲＡＭ２５３と、データを不揮発的に格納するＨＤＤ２５４と、ＬＥＤ２５５と、スイッチ２５６と、通信ＩＦ（Interface）２５７と、電源回路２５８と、ディスプレイ２５９と、操作キー２６０とを含む。各構成要素は、相互にデータバスによって接続されている。
【０１０２】
電源回路２５８は、コンセントを介して受信した商用電源の電圧を降圧し、サーバ装置２０の各部に電源供給を行なう回路である。スイッチ２５６は、電源回路２５８に給電を行なうか否かを切替えるための主電源用のスイッチ、およびその他の各種の押しボタンスイッチである。ディスプレイ２５９は、各種のデータを表示するためのデバイスである。
【０１０３】
通信ＩＦ２５７は、ミラーディスプレイ１００に対するデータの送信処理およびミラーディスプレイ１００から送信されたデータの受信処理を行なう。
【０１０４】
ＬＥＤ２５５は、サーバ装置２０の動作状態を表す各種の表示ランプである。たとえば、ＬＥＤ２５５は、サーバ装置２０の主電源のオンまたはオフ状態、およびＨＤＤ２５４への読み出しまたは書き込み状態等を表す。操作キー２６０は、サーバ装置２０のユーザがサーバ装置２０へデータを入力するための用いるキー（キーボード）である。
【０１０５】
サーバ装置２０における処理は、各ハードウェアおよびＣＰＵ２５１により実行されるソフトウェアによって実現される。このようなソフトウェアは、ＨＤＤ２５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ２５７等を介してダウンロードされた後、ＨＤＤ２５４に一旦格納される。そのソフトウェアは、ＣＰＵ２５１によってＨＤＤ２５４から読み出され、ＲＡＭ２５３に実行可能なプログラムの形式で格納される。ＣＰＵ２５１は、そのプログラムを実行する。
【０１０６】
同図に示されるサーバ装置２０を構成する各構成要素は、一般的なものである。したがって、本発明の本質的な部分は、ＲＡＭ２５３、ＨＤＤ２５４、記憶媒体に格納されたソフトウェア、あるいはネットワークを介してダウンロード可能なソフトウェアであるともいえる。なお、サーバ装置２０の各ハードウェアの動作は周知であるので、詳細な説明は繰り返さない。
【０１０７】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【０１０８】
＜Ｇ．変形例＞
図１０は、情報処理システム１の変形例である情報処理システム１Ａの概略構成を表した図である。図１０を参照して、情報処理システム１Ａは、サーバ装置２０と、ルータ３０と、ミラーディスプレイ１００Ａとを含む。ミラーディスプレイ１００Ａは、カメラ１６１を有する。ミラーディスプレイ１００Ａは、壁に掛けられた姿見として構成されている。ミラーディスプレイ１００Ａは、ミラーディスプレイ１００と同様なハードウェア構成（図９参照）を有し、ミラーディスプレイ１００と同一の処理を実行する。このようなミラーディスプレイ１００Ａを有する情報処理システム１Ａによれば、情報処理システム１と同様の効果を得ることができる。
［実施の形態２］
本実施の形態では、表示対象となっている過去画像を、途中で変更することが可能な構成について説明する。詳しくは、情報処理システムが、上述した態様の変更を指示するユーザ入力を受け付け、ディスプレイ１５９１の画面に表示させる画像を、認証されたユーザの過去画像データのうちの上記指示に応じた態様の画像データに基づく画像に変更する構成について説明する。以下、具体例を挙げて説明する。
【０１０９】
図１１は、本実施の形態に係る情報処理システム１の処理例を説明するための図である。図１１を参照して、状態（Ａ）は、図２の状態（Ｂ）と同じ状態を表している。つまり、図１１の状態（Ａ）は、図２の状態（Ａ）から遷移した後の状態である。また、図１１の状態（Ｂ）は、図２の状態（Ｃ）と同じ状態を表している。したがって、ここでは、図１１の状態（Ａ）および図１１の状態（Ｂ）については繰り返し説明しない。なお、以下では、特に断りのない限り、状態（Ｃ）、状態（Ｄ）、状態（Ｅ）は、は図１１における状態を表すものとする。
【０１１０】
状態（Ｃ）は、ユーザがタッチ入力により画像Ｐ１２におけるメガネの領域Ｐ１２１を選択した状態を表している。この場合、ミラーディスプレイ１００は、画像データＤ１２の識別情報と関連付けて、メガネが選択されたことを表す情報を、サーバ装置２０に送信する。さらに、ミラーディスプレイ１００は、画面の遷移を一時停止する。
【０１１１】
サーバ装置２０は、データテーブルＤＴ４における第４の特徴の欄をさらに参照して、当該ユーザに関する過去画像データのうちから、正面を向いている画像を表した画像データであって、かつメガネが記録されている画像データを抽出する。サーバ装置２０は、抽出された画像データをミラーディスプレイ１００に送信する。
【０１１２】
ミラーディスプレイ１００は、サーバ装置２０から画像データを受信すると、状態（Ｄ）および状態（Ｅ）に示すとおり、受信した画像データに基づく画像Ｐ３１，Ｐ３２を時系列に沿ってディスプレイ１５９１の画面に表示することを開始する。ミラーディスプレイ１００は、画像Ｐ３２を表示した後は、画像Ｐ１２、画像Ｐ３１、画像Ｐ３２の順に繰り返し画像をディスプレイ１５９１の画面に表示させる。
【０１１３】
上記の処理を、図５に示した機能ブロック図の各構成に基づいて説明すれば、以下のとおりである。ミラーディスプレイ１００の入力受付部１１３は、態様の変更を指示する入力を受け付ける。表示制御部１１４２は、入力受付部１１３が上記指示を受け付けたことに基づき、表示部１１１に表示させる画像を、認証されたユーザの過去画像データのうちの上記指示に応じた態様の画像データに基づく画像に変更する。
【０１１４】
当該構成によれば、ユーザは、自身の指示に応じた態様の画像データに基づく画像をディスプレイ１５９１の画面に表示させることが可能となる。それゆえ、ユーザは、指定された態様を有する自身の画像を視認することが可能となる。なお、変更の指示は、表示されている画像の一部分を指定するためのタッチパネル１５９２へのタッチ入力により実現される。
【０１１５】
上記においては、メガネに着目した説明を行なったが、これに限定されるものではない。ユーザが、表示されている画像に含まれる服、アクセサリ等を選択することにより、ミラーディスプレイ１００は、選択された物と同じ物を含む画像を表示することが可能となる。
【０１１６】
たとえば、サーバ装置２０が、データテーブルＤＴ４における第３の特徴の欄のデータを用いて、ユーザにタッチ入力によって指定された服と同じ色の服の画像を新たに抽出することにより、ミラーディスプレイ１００は、同じ色の服を着ているユーザの過去の画像を表示することができる。
【０１１７】
また、物（製品）には限定されず、同じ髪型の画像を表示させるために、画面におけるユーザの髪を選択するような構成としてもよい。
［実施の形態３］
上記の実施の形態１，２では、画像を切り替えて表示する構成を例に挙げて説明した。本実施の形態では、画像を一覧表示する構成について説明する。
【０１１８】
図１２は、本実施の形態に係る情報処理システム１の第１の処理例を説明するための図である。図１３は、本実施の形態に係る情報処理システム１の第２の処理例を説明するための図である。
【０１１９】
図１２を参照して、状態（Ａ）は、図２の状態（Ａ）と同じ状態を表している。図１２の状態（Ｂ）は、図１２の状態（Ａ）から遷移した後の画像を表している。
【０１２０】
図１２の状態（Ｂ）に示すとおり、ミラーディスプレイ１００は、図２の状態（Ｂ），（Ｃ），（Ｄ），（Ｅ）に示した画像Ｐ１１，Ｐ１２，Ｐ１３，Ｐ１４を一覧表示する。当該構成によれば、ユーザは、ユーザの過去を記録した複数の画像と、ユーザの現在を記録した画像とを、同時に確認することができる。
【０１２１】
画像Ｐ１１，Ｐ１２，Ｐ１３，Ｐ１４を一覧表示する際の画像の並べ方は、図１２に示したものに限定されるものではない。図１３のように、図１２とは異なるように画像を並べてもよい。
【０１２２】
図１３に示した並べ方をすると、ミラーによってユーザが映されていた領域に、ユーザの過去を記録した画像が画像を表示させることができる。それゆえ、ミラーディスプレイ１００は、図１３の表示方法を採ることにより、図１２の表示方法比べて、ユーザに対して、驚きを与えることができる。
［実施の形態４］
実施の形態１においては、サーバ装置２０が、現在画像データに対する複数の過去画像データのそれぞれの一致度を算出し、過去画像データからミラーディスプレイ１００に送信する画像データを抽出する構成について説明した。つまり、実施の形態１においては、現在画像データのみを、一致度算出のための基準画像データとしても用いる構成を説明した。しかしながら、これに限定されるものではない。たとえば、以下のように、サーバ装置２０を構成してもよい。
【０１２３】
まず、サーバ装置２０は、現在画像データを基準画像として、一致度が閾値（たとえば１０％）以上離れている画像データの中から、一致度が一番高い画像データを抽出する。その後、当該抽出された画像データを基準画像データとして、一致度が閾値以上離れている画像データの中から、一致度が一番高い画像データを抽出する。サーバ装置２０は、このような処理を繰り返し、当該処理により得られた画像データをミラーディスプレイ１００に送信する。
【０１２４】
このように、一致度の算出に用いる基準画像データを逐次変更することにより、ユーザは、差異が均等化された画像を確認することができる。
［実施の形態５］
サーバ装置２０における画像データの抽出を、以下のように行ってもよい。すなわち、サーバ装置２０は、過去画像データの日時情報のみに着目し、過去画像データが生成された日にちが互いに予め定められた間隔（たとえば、一ヶ月）あいている画像データを抽出してもよい。つまり、サーバ装置２０は、一致度に着目せずに画像データを抽出してもよい。構成によれば、ミラーディスプレイ１００のユーザは、定期的な自身の変化を確認することが可能となる。
［実施の形態６］
図１４は、本実施の形態に係るミラーディスプレイ１００で表示される画像を説明するための図である。図１４を参照して、ミラーディスプレイ１００は、図１２の状態（Ｂ）の画像を表示する際に、付加情報も表示するように構成されている。
【０１２５】
サーバ装置２０は、ミラーディスプレイ１００から送信された現在のユーザを記録した画像データと、抽出した画像データとから、ユーザの変化を検出する。たとえば、サーバ装置２０は、ユーザが痩せていっていることを検知する。あるいは、サーバ装置２０は、ユーザが太って言っていることを検知する。あるいは、サーバ装置２０は、ユーザの顔色の変化を検知する。
【０１２６】
サーバ装置２０は、当該検知結果に基づき、アドバイスや広告等の各種のコメントを表した情報（以下、「付加情報」と称する）をミラーディスプレイ１００に送信する。ミラーディスプレイ１００は、付加情報を受信すると、たとえば上述した一覧表示の画面に重畳した形式で、付加情報を表示する。なお、図１４においては、文字列１９１が付加情報に該当する。
【０１２７】
上記の処理を、図５に示した機能ブロック図の各構成に基づいて説明すれば、以下のとおりである。ミラーディスプレイ１００の制御部１１４は、現在画像データに対する過去画像データの一致度に応じた付加情報を、サーバ装置２０から取得する。ミラーディスプレイ１００の表示制御部１１４２は、付加情報を過去画像データに基づく画像と同時に表示部１１１に表示する。
【０１２８】
このような構成の情報処理システム１によれば、ユーザに対して、何らかの対処を採ることを促すことが可能となる。たとえば、サーバ装置２０を用いてサービスを提供する事業者は、ユーザに商品購入（たとえば、化粧品、健康補助食品等）を勧めることが可能となる。あるいは、医者から診断結果等をユーザに通知可能となる。あるいは、服の着こなし方を提案することも可能となる。
【０１２９】
なお、実施の形態１で説明した画面（図２，３）に付加情報を表示してもよい。
［実施の形態７］
上記の各実施の形態では、ミラーディスプレイ１００，１００Ａとサーバ装置２０とを備える構成について説明したが、これに限定されるものではない。サーバ装置２０の処理をミラーディスプレイ１００，１００Ａに実行させることにより、ミラーディスプレイ１００，１００Ａ単独で、上述した画像表示（たとえば、図２等の表示処理）を実現してもよい。
【０１３０】
＜まとめ＞
（１）以上のように、情報処理システム１は、画像を表示するための画面をミラーとして機能させることが可能なミラーディスプレイ１００を備えている。情報処理システム１は、ミラーに映された個人を認証する。情報処理システム１は、認証に成功し且つ予め定められた条件が成立するとミラーの機能を停止し、認証されたユーザ（個人）の過去を記録した画像データ（過去画像データ）のうち、認証時のユーザの態様と同じ態様の当該ユーザが記録された画像データ（上述した抽出された画像データ）に基づく画像を画面（ディスプレイ１５９１の画面）に表示させる。
【０１３１】
それゆえ、情報処理システム１によれば、ミラーディスプレイ１００は、ミラーに映されたユーザの過去画像データ（正確には、過去画像データから抽出された画像データ）に基づく画像を表示する。特に、ミラーディスプレイ１００は、現在と同じ態様（たとえば、同じ体の向き）の過去画像を表示するため、自身の状態（体型等）の変化の様子をより的確に把握できる。また、ユーザがミラーディスプレイ１００の前に移動する度に抽出された画像が表示される構成に比べて、ユーザの利便性を向上させることができる。
【０１３２】
（２）情報処理システム１は、互いに異なる過去画像データ（正確には、過去画像データから抽出された画像データ）に基づく画像を画面に表示させる。それゆえ、ユーザは、自身の過去の状態を複数確認することができる。
【０１３３】
（３）情報処理システム１は、抽出された画像データに基づく画像を切り替えて画面に個別に表示させる。それゆえ、ユーザは、自身の体型を画面毎に確認することができる。
【０１３４】
（４）上記抽出された画像データの各々には、当該画像が生成された日時に関する日時情報が関連付けられている。情報処理システム１は、上記日時情報に基づき日時の新しい順または古い順に、上記抽出された画像データに基づく画像を画面に表示させる。したがって、ユーザは、時系列に沿った形で、自身の状態の変化を確認することができる。
【０１３５】
（５）ミラーディスプレイ１００は、予め定められた時間Ｔ１における前記ミラーに映された個人の移動量が、閾値以下であるか否かを判定する判定部１１４１を備える。ミラーディスプレイ１００は、上記移動量が閾値以下であると判定された場合、上記予め定められた条件が成立したと判断してミラーの機能を停止し、上記抽出された画像データに基づく画像を画面に表示させる表示制御部１１４２をさらに備える。それゆえ、ユーザは、時間Ｔ１だけ静止状態を保つことによって、自身の過去の状態を確認することが可能となる。
【０１３６】
（６）ミラーディスプレイ１００は、ミラーに映されている個人を被写体として撮像する撮像手段をさらに備える。表示制御部１１４２は、過去画像（正確には、抽出された画像データに基づく画像）と、撮像手段による撮像により得られたユーザの現在画像とを、画面に表示させる。それゆえ、ユーザは、現在の状態と過去の状態とを比較することが可能となる。
【０１３７】
（７）表示制御部１１４２は、過去の画像と現在の画像とを画面に同時に表示させる。当該構成によれば、ユーザは、過去の自分の姿と現在の自分の姿とを対比した状態で比較することができる。
【０１３８】
（８）表示制御部１１４２は、画面のうちのミラーによってユーザが映されていた領域に、当該ユーザの過去の画像を表示させる。当該構成によれば、ユーザが映されていた領域以外の領域に過去の画像を表示させる構成に比べ、ユーザに対して、驚きを与えることができる。
【０１３９】
（９）ミラーディスプレイ１００の入力受付部１１３は、態様の変更を指示する入力を受け付ける。表示制御部１１４２は、入力受付部１１３が上記指示を受け付けたことに基づき、画面に表示させる画像を、認証されたユーザの過去画像データのうちの上記指示に応じた態様の画像データに基づく画像に変更する。当該構成によれば、ユーザは、自身の指示に応じた態様の画像データに基づく画像を画面に表示させることが可能となる。それゆえ、ユーザは、指定された態様を有する自身の画像を視認することが可能となる。
【０１４０】
（１０）変更の指示は、表示されている画像の一部分を指定するためのタッチパネル１５９２へのタッチ入力により実現される。当該構成によれば、ユーザは、容易に変更の指示を入力することができる。
【０１４１】
（１１）上記態様は、ミラーディスプレイ１００に対するユーザの体の向き、またはユーザが身に着けている物により規定される。
【０１４２】
（１２）情報処理システム１は、複数の過去画像データを格納するとともに認証を行なうサーバ装置２０をさらに備える。ミラーディスプレイ１００は、ミラーに映されている個人を撮像する。ミラーディスプレイ１００は、撮像により得られたユーザの画像データをサーバ装置２０に送信する。ミラーディスプレイ１００は、サーバ装置２０から、認証されたユーザの過去画像データを受信する。
【０１４３】
（１３）ミラーディスプレイ１００は、サーバ装置２０から、複数の画像データを受信する。当該複数の画像データは、認証されたユーザの態様の一致度が互いに予め定められた基準（閾値）以上離れているものである。当該構成によれば、ユーザは、自身の変化を容易に感じることが可能となる。
【０１４４】
（１４）ミラーディスプレイ１００は、サーバ装置２０から、複数の画像データを受信する。当該複数の画像データは、生成された日にちが互いに予め定められた間隔あいているものである。当該構成によれば、ユーザは、定期的な自身の変化を確認することが可能となる。
【０１４５】
（１５）ミラーディスプレイ１００は、ミラーに映されたユーザを撮像することにより、認証に用いる画像データをサーバ装置２０に送信する。当該構成によれば、ユーザがミラーディスプレイ１００の前に位置するだけで、サーバ装置２０に個人認証を行なわせることができる。
【０１４６】
（１６）ミラーディスプレイ１００の制御部１１４は、現在画像データに対する過去画像データの一致度に応じた付加情報を、サーバ装置２０から取得する。ミラーディスプレイ１００の表示制御部１１４２は、付加情報を過去画像データに基づく画像と同時に画面に表示する。このような構成の情報処理システム１によれば、ユーザに対して、何らかの対処を採ることを促すことが可能となる。
【０１４７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１４８】
１，１Ａ  情報処理システム、１０  洗面台ユニット、２０，２００  サーバ装置、２１，１１６  通信処理部、２２，１１４  制御部、２３，１１５  記憶部、３０  ルータ、１００，１００Ａ  ミラーディスプレイ、１１１  表示部、１１２  撮像部、１１３  入力受付部、１５１  ＣＰＵ、１５９  タッチスクリーン、１６１  カメラ、Ｐ１１，Ｐ１２，Ｐ１３，Ｐ１４，Ｐ２１，Ｐ２２，Ｐ２３，Ｐ２４，Ｐ３１，Ｐ３２  画像、２２１  認証部、２２２  抽出部、１１４１  判定部、１１４２  表示制御部、１５９１  ディスプレイ、１５９２  タッチパネル、ＤＴ４  データテーブル、１５７，２５７  通信ＩＦ、Ｍ１１，Ｍ２１  鏡像、Ｐ１２１  領域。
【図１】
2016048430.tif 000003
【図２】
2016048430.tif 000004
【図３】
2016048430.tif 000005
【図４】
2016048430.tif 000006
【図５】
2016048430.tif 000007
【図６】
2016048430.tif 000008
【図７】
2016048430.tif 000009
【図８】
2016048430.tif 000010
【図９】
2016048430.tif 000011
【図１０】
2016048430.tif 000012
【図１１】
2016048430.tif 000013
【図１２】
2016048430.tif 000014
【図１３】
2016048430.tif 000015
【図１４】
2016048430.tif 000016